(57)【特許請求の範囲】
【請求項１】
ネットワーク装置と端末装置との間に設置される通信装置であって、
前記端末装置との通信を行う端末接続手段と、
前記ネットワーク装置との通信を行う通信インターフェイス手段と、
前記通信インターフェイス手段と前記端末接続手段との間でのデータの中継と、前記ネットワーク装置および前記端末装置との通信の制御を行うアクセス制御手段と、
前記アクセス制御手段に接続され、前記端末接続手段に対する電源供給を制御する第一の電源制御手段と
を備え、
前記第一の電源制御手段は、前記端末装置と通信を行うことが可能な起動状態と、前記端末装置と通信を行なわない低電力駆動状態とを含む複数の動作状態のうちの一つの動作状態に、前記端末接続手段を設定し、
前記第一の電源制御手段は、低電力駆動状態にある前記端末接続手段を、前記通信インターフェイス手段と前記ネットワーク装置との通信が行われるタイミングに基づいて、起動状態に移行するよう電源制御を行う
ことを特徴とする通信装置。
【請求項２】
前記アクセス制御手段は、前記端末接続手段が起動状態である間に、前記ネットワーク装置と前記端末装置の少なくとも一つからの通信要求の有無を判定し、
前記第一の電源制御手段は、前記ネットワーク装置と前記端末装置の少なくとも一つからの通信要求がある場合は、前記端末接続手段の起動状態を維持するよう電源制御を行い、前記通信要求がない場合は、前記端末接続手段を低電力駆動状態に移行するよう電源制御を行う
ことを特徴とする、請求項１に記載の通信装置。
【請求項３】
前記アクセス制御手段に接続され、前記通信インターフェイス手段に対する電源供給を制御する第二の電源制御手段をさらに備え、
前記第二の電源制御手段は、前記ネットワーク装置と通信を行うことが可能な起動状態と、前記ネットワーク装置と通信を行わない低電力駆動状態とを含む複数の動作状態のうちの一つの動作状態に、前記通信インターフェイス手段を設定し、
前記第二の電源制御手段は、前記第一の電源制御手段の動作と同期して、低電力駆動状態にある前記通信インターフェイス手段を、前記通信インターフェイス手段と前記ネットワーク装置との通信が行われるタイミングに基づいて、起動状態に移行するよう電源制御を行う
ことを特徴とする、請求項１または２に記載の通信装置。
【請求項４】
前記第一の電源制御手段が前記端末接続手段の電源制御を行うタイミングと、前記第二の電源制御手段が前記通信インターフェイス手段の電源制御を行うタイミングが、それぞれ、前記ネットワーク装置から指定されるスケジューリング情報を基にして定められる
ことを特徴とする、請求項３に記載の通信装置。
【請求項５】
前記端末接続手段及び前記通信インターフェイス手段の少なくとも一つにおいて、起動状態と低電力駆動状態とは、所定の周期で反復する
ことを特徴とする、請求項１乃至４のいずれか一項に記載の通信装置。
【請求項６】
前記端末接続手段が低電力駆動状態になっている間、前記端末接続手段が前記端末装置に信号を送信しない第一の時間Ｔ１と、接続確認の信号を送信する第二の時間Ｔ２とが周期的に繰り返される
ことを特徴とする、請求項１乃至５のいずれか一項に記載の通信装置。
【請求項７】
前記通信インターフェイス手段が低電力駆動状態となる時間Ｔ３が、前記第一の時間Ｔ１と、前記第二の時間Ｔ２と、任意の自然数Ｎから求められ、
Ｔ３＝Ｔ１＋（Ｔ１＋Ｔ２）×Ｎ
となることを特徴とする、請求項６に記載の通信装置。
【請求項８】
前記通信インターフェイス手段が、送信および受信に用いる光信号の波長を変更することのできる波長可変送受信機であることを特徴とする、請求項１乃至７のいずれか一項に記載の通信装置。
【請求項９】
請求項１乃至８のいずれか一項に記載の通信装置を含む通信システムであって、
前記アクセス制御手段は、前記端末接続手段が起動状態および低電力駆動状態のいずれの動作状態にあるかを、前記ネットワーク装置に通知する通知手段を備え、
前記ネットワーク装置が前記端末接続手段のうち低電力駆動状態にある端末接続手段に宛てた情報を送信する場合には、該端末接続手段を起動状態へ移行するよう電源制御が行われ、前記ネットワーク装置と該端末接続手段に接続される端末装置との情報の送受信が可能になるまで前記情報の送信が見送られる
ことを特徴とする通信システム。
【請求項１０】
ネットワーク装置と端末装置との間に設置され、データを中継して通信の制御を行い、前記端末装置との通信を行う端末接続手段と前記ネットワーク装置との通信を行う通信インターフェイス手段とを含む通信装置の消費電力の制御方法であって、
前記端末装置と通信を行うことが可能な起動状態と、前記端末装置と通信を行わない低電力駆動状態とを含む複数の動作状態のうちの一つの動作状態に、前記端末接続手段を設定するステップと、
低電力駆動状態にある前記端末接続手段を、前記通信インターフェイス手段と前記ネットワーク装置との通信が行われるタイミングに基づいて、起動状態に移行するよう電源制御を行うステップと
を含むことを特徴とする、電力制御方法。
【発明の詳細な説明】
【技術分野】
【０００１】
本発明は、通信回線を介してデータを通信する通信装置、通信システム、及び電力制御方法に関し、特に、ＰＯＮ（Ｐａｓｓｉｖｅ  Ｏｐｔｉｃａｌ  Ｎｅｔｗｏｒｋ）に用いられる加入者装置の消費電力の制御方法に関する。
【背景技術】
【０００２】
インターネットを始めとする計算機ネットワークは、企業や学校のみならず一般家庭にまで普及が進んでいる。一般家庭におけるユーザはプロバイダと呼ばれる計算機ネットワーク接続業者と契約し、ネットワークサービスの提供を受ける。すなわち、ユーザはネットワークの基幹回線から分岐して家庭まで延伸して敷設された回線に加入者装置を接続し、この加入者装置にネットワークを利用した情報端末を接続して計算機ネットワークを利用する。
【０００３】
近年、通信情報量の増大に伴い通信回線として金属製の回線が通信容量の大きい光ファイバに代替しつつある。この光ファイバを用いたネットワークにおける通信制御技術の一つとしてＦＴＴＨ（Ｆｉｂｅｒ  Ｔｏ  Ｔｈｅ  Ｈｏｍｅ）がある。このＦＴＴＨによるサービスとしてＰＯＮ（Ｐａｓｓｉｖｅ  Ｏｐｔｉｃａｌ  Ｎｅｔｗｏｒｋ）が広く用いられている。
【０００４】
家庭に設置された加入者側の端末装置はＯＮＵ（Ｏｐｔｉｃａｌ  Ｎｅｔｗｏｒｋ  Ｕｎｉｔ）と呼ばれる。複数のＯＮＵは、光スプリッタを介し一つの局舎装置であるＯＬＴ（Ｏｐｔｉｃａｌ  Ｌｉｎｅ  Ｔｅｒｍｉｎａｌ）に光ファイバで接続される。ＰＯＮはこのようなネットワーク構成の総称である。ＰＯＮにおいては、複数のＯＮＵが光スプリッタおよびＯＬＴ間の伝送路を共有する。これにより、ＰＯＮは他のネットワーク構成に対して経済性という観点で優位であり、広く普及する根拠となっている。
【０００５】
より詳細には、ＰＯＮで用いられるＯＮＵは送信フレームの生成と受信フレームの受信処理と送信タイミングの制御を行うＭＡＣ（Ｍｅｄｉａ  Ａｃｃｅｓｓ  Ｃｏｎｔｒｏｌ）ブロックと、ＭＡＣブロックで生成された送信フレームを光信号に変換してＯＬＴへ送信する光送信インターフェイス（ＴｘＩＦ）ブロックと、ＯＬＴから送信された光信号を電気信号に変換してＭＡＣブロックに供給する光受信インターフェイス（ＲｘＩＦ）ブロックと、ＩＰ（インターネットプロトコル）電話やＰＣ（パーソナルコンピュータ）などのユーザ端末が接続される複数のユーザネットワークインターフェイス（ＵＮＩ）を含む。
【０００６】
１０Ｇ−ＥＰＯＮ（１０ギガビット−イーサネット（登録商標）ＰＯＮ）のように、伝送路の分岐部に光パワースプリッタを具備するＰＯＮにおいては、光スプリッタによる時分割多重（ＴＤＭ）を利用した分岐処理が行われる。このため、複数のＯＮＵからの上り信号が衝突しないように送信タイミングが制御される。具体的には、ＯＬＴからゲート（Ｇａｔｅ）メッセージが各ＯＮＵに送信され、各ＯＮＵにおいて上り信号の送信タイミングと送信量が指定される。送信タイミング及び送信量は、各ＯＮＵからのリポート信号に含まれる帯域割当要求量を元にしてＯＬＴのＭＡＣ−ＬＳＩ内で算出される。このようなＯＮＵ制御は動的帯域割当（ＤＢＡ）と呼ばれる。下り信号については、ブロードキャスト方式が用いられる。すなわち、全てのＯＮＵに同じ下り光信号が到達する。各ＯＮＵはＯＬＴから到達した下り信号のなかで自装置宛の情報のみを抽出して、その情報を元にして受信フレームの受信処理を行う。
【０００７】
近年、地球温暖化が日常的に重要な課題として取り上げられており、温室効果ガスの排出量を削減する必要性が高まっている。また電力使用量の削減は燃料資源節約という社会的に重大な要請に答えるものである。
【０００８】
ネットワークが使用する電力量の削減はこの分野における重要な課題の一つである。
【０００９】
非特許文献１には、ＯＮＵの送受信の動作についての観点から３種類のＯＮＵの電力削減方式が提案されている。
【００１０】
１．Ｄｏｚｉｎｇモード方式は、ＯＮＵからＯＬＴへの上り信号フレームがない場合にＯＮＵの送信ブロックを省電力状態で動作させる方式である。
【００１１】
２．Ｓｌｅｅｐｉｎｇモード方式は、ＯＮＵとＯＬＴの間に上り信号も下り信号もない場合にＯＮＵの送信ブロック及び受信ブロックを省電力状態で動作させる。このＳｌｅｅｐｉｎｇモードはさらに、Ｄｅｅｐ−ＳｌｅｅｐとＣｙｃｌｉｃ−Ｓｌｅｅｐの２種類に分けられる。Ｄｅｅｐ−Ｓｌｅｅｐモードは、最小限の機能を残して電源をシャットダウンする電力削減方式である。一方、Ｃｙｃｌｉｃ−Ｓｌｅｅｐは省電力状態と通常状態を所定の周期で繰り返す電力削減方式である。
【００１２】
３．Ｓｈｅｄｄｉｎｇモード方式は、複数のＵＮＩのうち使用していない、すなわち通信要求のないＵＮＩを省電力状態で動作させる。
【００１３】
上記の３つの方式において各ブロックを省電力状態で動作させるには、一般的には各ブロックへの電源供給を遮断もしくは電圧を低下させる。
【００１４】
非特許文献２には、イーサネット・インターフェイスの省電力化方式の一つであるエネルギー高効率イーサネット（Ｅｎｅｒｇｙ−Ｅｆｆｉｃｉｅｎｔ  Ｅｔｈｅｒｎｅｔ（登録商標））が記載される。このＥＥＥにおけるＬＰＩ（Ｌｏｗ  Ｐｏｗｅｒ  Ｉｄｌｅ）方式では、通信に使わない時間帯にＭＡＣ層への電源供給を止めることにより消費電力を削減する。
【００１５】
特許文献１には、内部のバッファへの電源供給を制御する省電力方式が記載される。すなわち、特許文献１が開示する光加入者線終端装置は、内部回路に対する電力の供給を停止している状況下で局側装置から送信されたフレームを受信したときにフレームを格納するフレームバッファが利用可能な状態になるまで一時的にフレームを格納する一時バッファを備える。
【００１６】
特許文献２は、ＩＥＥＥ８０２標準のネットワークにおけるＯＮＵの光インターフェイスの省電力方式を記載する。すなわち、ネットワーク装置とユーザ装置の間の通信を元にしてユーザ装置の受信機への電源供給をも止める。
【００１７】
特許文献３は、局側装置との間の接続状態を監視してＯＮＵの機能ブロックを低消費電力モードに設定する加入者側装置を記載する。
【００１８】
特許文献４は、宅側装置ＯＮＵに送信するユーザフレームを蓄積するバッファを有する局側装置ＯＬＴにおいて宅側装置ＯＮＵに送信してから再度宅側装置ＯＮＵに送信するまでの一巡時間より短い時間の省電力モード時間を記述したフレームを送信する動作を記載する。
【００１９】
以上の省電力方式は単独で用いるだけでなく、複数の方式を組み合わせてもよい。
【先行技術文献】
【特許文献】
【００２０】
【特許文献１】特開２０１０−１６１５６６号公報
【特許文献２】特開２０１０−２１３２５９号公報
【特許文献３】特開２００８−１１３１９３号公報
【特許文献４】特開２０１０−１１４８３０号公報
【非特許文献】
【００２１】
【非特許文献１】ＩＴＵ−Ｔ  Ｓｅｒｉｅｓ  Ｇ  Ｓｕｐｐｌｅｍｅｎｔ  ４５  “Ｔｒａｎｓｍｉｓｓｉｏｎ  Ｓｙｓｔｅｍｓ  ａｎｄ  Ｍｅｄｉａ，  Ｄｉｇｉｔａｌ  Ｓｙｓｔｅｍｓ  ａｎｄ  Ｎｅｔｗｏｒｋｓ”、  ＧＰＯＮ  ｐｏｗｅｒ  ｃｏｎｓｅｒｖａｔｉｏｎ、２００９年５月
【非特許文献２】ＩＥＥＥ  Ｓｔｄ  ８０２．３ａｚ−２０１０
【発明の概要】
【発明が解決しようとする課題】
【００２２】
関連技術においては、ＯＮＵの省電力技術は光インターフェイス側とＵＮＩ側のそれぞれに限定されていた。すなわち、光インターフェイス側とＵＮＩ側の連携は考慮されてこなかった。
【００２３】
関連技術においては、低消費電力状態への遷移を制御して消費電力を抑制する動作は記載されるが、低消費電力状態から通常の通信動作の状態への復帰に関して記載されない。
【００２４】
図１５は、関連技術に係るＯＮＵの通信手続きにおけるＯＮＵの各部の動作を示す。
【００２５】
例えば、Ｓｈｅｄｄｉｎｇ動作がＰＯＮ側の通信動作とは独立に実行される場合、図１５に示されるようにユーザの端末から通信要求があり、かつＯＬＴからＧａｔｅ信号を受信した場合であっても、ＯＬＴとユーザ端末の間の通信の確立には遅延が発生する。関連技術においては、この接続遅延がＯＮＵの省電力の障害となっており、効率的なＯＮＵの省電力にはＵＮＩを含めたＯＮＵの省電力技術が必要とされてきた。
【００２６】
すなわち、接続に遅延の発生する通信システムはシステム全体の通信速度が抑制され、また、遅延が発生している間に各装置が消費する電力は不要である。
【００２７】
本発明は上述した点に鑑みてなされたもので、通信回線を介してデータを通信する通信装置において、光インターフェイス側とＵＮＩ側を連携させ、ＯＬＴとユーザ端末の間の通信の確立の遅延を考慮して消費電力を制御する通信装置、通信システムおよび電力制御方法を提供することを目的とする。
【００２８】
また、本発明は、動的なＳｈｅｄｄｉｎｇ動作による省電力機能を具備したＯＮＵを提供することを目的とする。
【課題を解決するための手段】
【００２９】
上記の目的を達成するため本発明の通信装置は、ネットワーク装置と端末装置との間に設置される通信装置であって、端末装置との通信を行う端末接続手段と、ネットワーク装置との通信を行う通信インターフェイス手段と、通信インターフェイス手段と端末接続手段との間でのデータの中継とネットワーク装置および端末装置との通信の制御を行うアクセス制御手段と、アクセス制御手段に接続され端末接続手段に対する電源供給を制御する第一の電源制御手段とを備え、第一の電源制御手段は端末装置と通信を行うことが可能な起動状態と端末装置と通信を行なわない低電力駆動状態とを含む複数の動作状態のうちの一つの動作状態に端末接続手段を設定し、第一の電源制御手段は低電力駆動状態にある端末接続手段を通信インターフェイス手段とネットワーク装置との通信が行われるタイミングに基づいて起動状態に移行するよう電源制御を行うことを特徴とする。
【００３０】
また、本発明の通信システムは、ネットワーク装置と端末装置との間に設置される通信装置を含む通信システムであって、通信装置は端末装置との通信を行う端末接続手段と、ネットワーク装置との通信を行う通信インターフェイス手段と、通信インターフェイス手段と端末接続手段との間でのデータの中継とネットワーク装置および端末装置との通信の制御を行うアクセス制御手段と、アクセス制御手段に接続され端末接続手段に対する電源供給を制御する第一の電源制御手段とを備え、第一の電源制御手段は端末装置と通信を行うことが可能な起動状態と端末装置と通信を行なわない低電力駆動状態とを含む複数の動作状態のうちの一つの動作状態に端末接続手段を設定し、第一の電源制御手段は低電力駆動状態にある端末接続手段を通信インターフェイス手段とネットワーク装置との通信が行われるタイミングに基づいて起動状態に移行するよう電源制御を行い、アクセス制御手段は端末接続手段が起動状態および低電力駆動状態のいずれの動作状態にあるかをネットワーク装置に通知する通知手段を備え、ネットワーク装置が端末接続手段のうち低電力駆動状態にある端末接続手段に宛てた情報を送信する場合には該端末接続手段を起動状態へ移行するよう電源制御が行われネットワーク装置と該端末接続手段に接続される端末装置との情報の送受信が可能になるまで情報の送信が見送られることを特徴とする。
【００３１】
さらに、本発明の電力制御方法は、ネットワーク装置と端末装置との間に設置されデータを中継して通信の制御を行い端末装置との通信を行う端末接続手段とネットワーク装置との通信を行う通信インターフェイス手段とを含む通信装置の消費電力の制御方法であって、端末装置と通信を行うことが可能な起動状態と端末装置と通信を行わない低電力駆動状態とを含む複数の動作状態のうちの一つの動作状態に端末接続手段を設定するステップと、低電力駆動状態にある端末接続手段を通信インターフェイス手段とネットワーク装置との通信が行われるタイミングに基づいて起動状態に移行するよう電源制御を行うステップとを含むことを特徴とする。
【発明の効果】
【００３２】
本発明によれば、Ｓｈｅｄｄｉｎｇ動作によるＯＮＵの省電力化を図ることができる。
【００３３】
さらに、ＯＬＴとＯＮＵの通信タイミングとＵＮＩの起動タイミングを一致させることで、ＯＮＵが省電力動作中であってもＯＬＴからＯＮＵを介したユーザ端末までの通信が可能となる
さらに、ＯＬＴまたはユーザ端末からのいずれかまたは両方の通信要求を検知し、その結果に応じたＵＮＩの動作状態を取ることが可能となる。
【００３４】
さらに、ＵＮＩだけでなく光ＩＦの省電力化を図ることができる。
【図面の簡単な説明】
【００３５】
【図１】本発明の第１の実施形態による通信システムおよびＯＮＵの構成を示す。
【図２】本発明の第１の実施形態によるＯＮＵ内のＬＳＩの構成を示す。
【図３】本発明の第１の実施形態によるＵＮＩの電源制御動作例を示す。
【図４】本発明の第１の実施形態によるＯＬＴからのＯＮＵ復帰の動作を示す。
【図５】本発明の第１の実施形態によるユーザ端末からのＯＮＵ復帰の動作を示す。
【図６】本発明の第２の実施形態による通信システムおよびＯＮＵの構成を示す。
【図７】本発明の第２の実施形態によるＯＮＵ内のＬＳＩの構成を示す。
【図８】本発明の第２の実施形態によるＵＮＩおよび光ＩＦの電源制御動作例を示す。
【図９】本発明の第２の実施形態によるＯＬＴからのＯＮＵ復帰の動作を示す。
【図１０】本発明の第２の実施形態によるユーザ端末からのＯＮＵ復帰の動作を示す。
【図１１】本発明の第３の実施形態によるＵＮＩ電源制御動作例を示す。
【図１２】本発明の第３の実施形態によるＵＮＩおよび光ＩＦの電源制御動作例を示す。
【図１３】本発明の第３の実施形態によるＵＮＩおよび光ＩＦの動作を示す。
【図１４】本発明の第５の実施形態による通信システムおよびＯＮＵの構成を示す。
【図１５】関連技術における方式の動作による接続遅延を示す。
【図１６】ＩＥＥＥ８０２.３ａｚで規定されるＱｕｉｅｔ動作時間Ｔ＿ｑとＲｅｆｅｒｅｎｃｅ動作時間Ｔ＿ｒとの対応の一例を示す。
【図１７】本発明の第４の実施形態によるＯＬＴへのＵＮＩ状態通知内容を示す。
【発明を実施するための形態】
【００３６】
本発明の実施形態を図に基づいて説明する。ただし本発明は以下に示す実施形態に限定されない。
【００３７】
（第１の実施形態）
（構成）
本発明の第１の実施形態に係るネットワークの構成の一例およびＯＮＵの構成の一例を図１及び図２に示す。
【００３８】
図１に示されるように、本実施形態に係るネットワークにおいてＰＯＮの宅側装置としてのＯＮＵ１００が局側装置としてのＯＬＴ２００と光ファイバ３００及び光スプリッタ５００を介して接続される。ＯＮＵ１００には、複数のユーザ端末４００−１〜４００−３が接続される。ただし、ユーザ端末の数は３に限定されない。
【００３９】
本実施形態に係るＯＮＵ１００は、ＬＳＩ１１０、光インターフェイス（ＩＦ）１２０、カプラ１３０、複数のＵＮＩ１４０−１〜１４０−３、及びＵＮＩ電源制御部１５０を含む。
【００４０】
図２に示されるように、ＬＳＩ１１０は、ＰＯＮ−ＰＨＹ（Ｐｈｙｓｉｃａｌ  ｌａｙｅｒ）１１１、ＰＯＮ−ＭＡＣ１１２、ＵＮＩ−ＭＡＣ１１３、ＵＮＩ−ＰＨＹ１１４、及びスケジューリング部１１５を含む。
【００４１】
ＬＳＩ１１０は、ＯＬＴ２００との通信に用いる送信フレームを生成し、ＯＬＴ２００から受信した受信フレームを処理する。さらに、ＬＳＩ１１０は、ＯＬＴ２００からの制御信号に従い送信タイミングを制御するとともに、ＰＯＮ側ネットワークとＵＮＩ側ネットワークのデータの仲介手段としても動作する。また、ＬＳＩ１００はスケジューリング部１１５によりＵＮＩ電源制御部１５０による電源制御のタイミング制御も行う。
【００４２】
ＬＳＩ１１０は、ＬＳＩ１１０が備える機能ブロックにそれぞれ対応する複数のＬＳＩで構成しても良いし、全ての機能を１つのＬＳＩで構成しても良い。
【００４３】
光ＩＦ１２０は、光送信器（Ｔｘ）１２１と光受信器（Ｒｘ）１２２を含む。光送信器（Ｔｘ）１２１は、ＬＳＩ１１０により生成された送信フレームを光信号に変換して送信する。光受信器（Ｒｘ）１２２は、ＯＬＴ２００から受信した光信号を電気信号に変換してＬＳＩ１１０に供給する。
【００４４】
カプラ１３０は、送信信号と受信信号の経路を分ける。
【００４５】
複数のＵＮＩ１４０−１〜３には、複数のユーザ端末４００−１〜３がそれぞれ接続され、ユーザ端末４００−１〜３とＯＮＵ１００との間の通信を行う。
【００４６】
ＵＮＩ電源制御部１５０は、ＬＳＩ１１０からのスケジューリング情報を元に複数のＵＮＩ１４０−１〜３への電源供給の有無を制御する。
【００４７】
ＵＮＩ１４０のそれぞれは、ＵＮＩ電源制御部１５０の制御によりユーザ端末４００との通信が可能な起動状態と通信を行わない低電力状態の２つの状態をとる。
【００４８】
ＵＮＩ電源制御部１５０は、ＯＮＵ１００とＯＬＴ２００の間で定められるタイミング情報をＬＳＩ１１０を介して取得し、該タイミング情報に従ってＵＮＩ１４０−１〜３の電源を制御する。
【００４９】
（動作）
次に、本実施形態に係るネットワークおよびＯＮＵの動作を図１乃至３を参照して説明する。
【００５０】
複数のユーザ端末４００−１〜３の少なくとも１つが通信中である場合、通信中のユーザ端末が接続されているＵＮＩおよび光ＩＦ１２０は低電力状態にはならない。そのため、複数のＵＮＩ１４０−１〜３のうち接続されるユーザ端末が使用されないもののみを低電力状態にする。
【００５１】
この動作により、Ｓｈｅｄｄｉｎｇ動作によるＯＮＵの省電力化を図ることができる。
【００５２】
通常、ＰＯＮにおいては、ＯＬＴ２００から定期的に送信されるＧａｔｅ信号に含まれる上り信号送信タイミング指示に応じて、ＯＮＵ１００が要求する帯域の申告や上りトラフィックを含む上り信号が送信される。
【００５３】
図３は、本実施形態に係るＯＮＵ１００におけるＵＮＩ１４０−１〜３の電源制御の動作を示す。
【００５４】
初期状態として、ＯＬＴ２００および複数のユーザ端末４００のいずれからも通信要求がなく、複数のＵＮＩ１４０−１〜３は低電力状態になっている（ステップＳ１０１）。
【００５５】
ＯＬＴ２００はＯＮＵ１００へ帯域要求の有無を確認するＧａｔｅ信号を送信し、ＯＮＵ１００はＧａｔｅ信号を受信する（ステップＳ１０２）。
【００５６】
ＬＳＩ１１０は、Ｇａｔｅ信号を受信してＵＮＩ電源制御部１５０を介してＵＮＩ１４０−１〜３を起動状態に移行する指示を出す（ステップＳ１０３）。
【００５７】
ＬＳＩ１１０は、ＯＬＴ２００からのＧａｔｅ信号の中にＯＬＴ２００が複数のユーザ端末４００のいずれとの通信を要求するのかとの判定（ステップＳ１０４）と、ＵＮＩ１４０−１〜３のいずれがＯＬＴ２００との通信を要求するのかとの判定（ステップＳ１０５）を行う。ＬＳＩ１１０は、いずれか一方または両方からの通信要求があれば、ＯＬＴ２００に通信要求の信号を送信し通常のＰＯＮ動作へ移行させる（ステップＳ１０６）。
【００５８】
ステップＳ１０４およびステップＳ１０５の判定でＯＬＴ２００と複数のユーザ端末４００−１〜３とのいずれからも通信要求がなければ、ＯＬＴ２００と低電力状態への移行手続きを行い（ステップＳ１０７）、ＵＮＩ１４０を低電力状態へ移行させる（ステップＳ１０１）。
【００５９】
ステップＳ１０４からステップＳ１０７の動作によりＯＬＴ２００またはユーザ端末４００からのいずれかまたは両方からの通信要求が検知され、その検知結果に応じてＵＮＩ１４０の動作状態が移行する。
【００６０】
この際に、ＬＳＩ１１０の一部の機能を停止させても良い。
【００６１】
ステップＳ１０２およびステップＳ１０７で用いるＯＬＴ２００とＯＮＵ１００とのシグナリングには、ＩＥＥＥ  Ｐ１９０４.１（Ｓｅｒｖｉｃｅ  Ｉｎｔｅｒｏｐｅｒａｂｉｌｉｔｙ  ｉｎ  Ｅｔｈｅｒｎｅｔ  Ｐａｓｓｉｖｅ  Ｏｐｔｉｃａｌ  Ｎｅｔｗｏｒｋｓ:  ＳＩＥＰＯＮ）  Ｄｒａｆｔ１.０  ｃｌａｕｓｅ１０またはＩＴＵ−Ｔで規定される拡張ＯＡＭメッセージを用いても良い。
【００６２】
ステップＳ１０７におけるＯＬＴ２００へのＲｅｐｏｒｔ送信からステップＳ１０１におけるＵＮＩ１４０の低電力状態への移行までの時間を設定すれば、ＯＬＴ２００からＯＮＵ１００を介したＵＮＩ１４０までの動作のタイミング制御がＯＬＴ２００に集約される。これにより、ＯＮＵ２００のタイミング制御機能が簡単化される。また、ＯＬＴ２００とＯＮＵ１００との通信タイミングとＵＮＩ１４０の起動タイミングとを一致させると、ＯＮＵ１００が省電力動作中であってもＯＬＴ２００からＯＮＵ１００を介したユーザ端末４００までの通信が可能となる。
【００６３】
以上の動作において、ＵＮＩ電源制御部１５０は、ＰＯＮ−ＭＡＣ１１２およびＵＮＩ−ＭＡＣ１１３から通信要求の有無と送受信タイミング、低電力状態への移行の許可の情報を得て、該情報に従ってＵＮＩ１４０−１〜３の電源供給を制御する。
【００６４】
次に、ＯＬＴ２００からＯＮＵ１００に通信要求が発生した場合の動作について図４を参照して説明する。
【００６５】
ＯＬＴ２００は、通信要求が発生した直後のＯＮＵ１００との通信での下り信号においてＯＮＵ１００への起動指示を含むＧａｔｅ信号を送信する。
【００６６】
ＬＳＩ１１０は起動指示を含むＧａｔｅ信号を受信すると、ＵＮＩ電源制御部１５０を介してこの時点以降は低電力状態に移行せず接続を維持する指示を出す。
【００６７】
ＯＮＵ１００は通信機能が起動状態になり、ユーザ端末４００までの接続が確立したとの通知を含むＲｅｐｏｒｔ信号をＯＬＴ２００に送信する。
【００６８】
ＯＬＴ２００はＯＮＵ１００が起動状態になったことを確認すると、通常のＰＯＮの運用と同様の方法でＯＮＵ１００との通信を開始しＯＮＵ１００の復帰が完了する。
【００６９】
次に、ユーザ端末側からの通信要求が発生した場合について図５を参照して説明する。
【００７０】
ユーザ端末４００が通信要求を行った場合、ユーザ端末４００はＵＮＩ１４０が起動状態に移行するまで通信要求を含む信号を送り続ける。
【００７１】
通信要求が発生した直後のＯＬＴ２００からのＧａｔｅ信号を受けＵＮＩ１４０が起動状態となると、ＬＳＩ１１０がユーザ端末４００から通信要求があることを検知する。
【００７２】
ＬＳＩ１１０は、ＯＬＴ２００との通信要求を含むＲｅｐｏｒｔ信号を送信し帯域割当を要求すると同時に、ＵＮＩ電源制御部１５０を介してこの時点以降は低電力状態に移行せずユーザ端末４００−１〜３との接続を維持する指示を出す。
【００７３】
ＯＬＴ２００は、ＯＮＵ１００からの通信要求に従い帯域を割り当てＯＮＵ１００の復帰が完了する。
【００７４】
以上、本発明の第１の実施形態によれば、ＯＮＵ１００がＯＬＴ２００と通信を行うたびにＵＮＩ１４０が起動し、ＯＬＴ２００からＯＮＵ１００を介したユーザ端末４００までの通信経路が確立するＯＮＵの省電力方式が提供される。
【００７５】
（第２の実施形態）
（構成）
本発明の第２の実施形態によるネットワーク構成およびＯＮＵの構成について図６および図７を参照して説明する。
【００７６】
本実施形態に係るＯＮＵ１００は、第１の実施形態に係るＯＮＵ１００に光ＩＦ電源制御部１６０をさらに備える。この他の構成要素は第１の実施形態に係るネットワーク構成と同様であるので、同じ参照番号を付して説明を省略する。
【００７７】
光ＩＦ電源制御部１６０は、ＬＳＩ１１０からのスケジューリング情報を元に光ＩＦ１２０への電源供給の有無を制御する。
【００７８】
光ＩＦ１２０は、光ＩＦ電源制御部１６０の制御に従ってＯＬＴ２００との通信が可能な起動状態と、通信を行わない低電力状態の２つの状態をとる。
【００７９】
（動作）
本実施形態に係るネットワークにおいては、ＯＬＴ２００とＯＮＵ１００の間に一定時間以上通信要求がない場合すなわちＯＬＴ２００および複数のユーザ端末のいずれからも一定時間以上通信要求がない場合に、ＯＮＵ１００はＳｌｅｅｐモードに移行しＯＮＵ１００の消費電力を低減する。Ｓｌｅｅｐモード中は、ある時間（Ｔ＿ｓｌｅｅｐ）だけ光ＩＦ１２０は低電力状態になった後再び起動状態になり、ＯＮＵ１００およびＯＬＴ２００の間の通信要求の有無を確認する。ＯＮＵ１００の光ＩＦ１２０は起動状態になり、ＯＬＴ２００に対して最小限の信号（Ｇａｔｅ，Ｒｅｐｏｒｔ）の送受信を行った後双方からの通信要求がなければ、再び所定の時間Ｔ＿ｓｌｅｅｐだけ低電力状態に移行する。また、複数のＵＮＩ１４０のうち使用していない（トラフィックがない）ものを低電力状態にする。
【００８０】
次に本実施形態によるネットワークおよびＯＮＵ１００の動作を図面を参照して説明する。
【００８１】
図８は、本実施形態に係るＯＮＵ１００におけるＵＮＩ１４０−１〜３および光ＩＦ１２０の電源制御の動作を示す。
【００８２】
初期状態としてＯＬＴ２００および複数のユーザ端末４００のいずれからも通信要求がなく複数のＵＮＩ１４０−１〜３および光ＩＦ１２０は低電力状態になっている（ステップＳ２０１）。
【００８３】
ＬＳＩ１１０は、予め設定された低電力動作時間Ｔ＿ｓｌｅｅｐが経過する（ステップＳ２０２）と、ＵＮＩ電源制御部１５０および光ＩＦ電源制御部１６０を介して光ＩＦ１２０および複数のＵＮＩ１４０−１〜３を起動状態に移行する指示を出す（ステップＳ２０３）。
【００８４】
ＯＬＴ２００はＯＮＵ１００へ帯域要求の有無を確認するＧａｔｅ信号を送信しＯＮＵ１００がＧａｔｅ信号を受信する（ステップＳ２０４）。
【００８５】
ＬＳＩ１１０は、ＯＬＴ２００からのＧａｔｅ信号の中にＯＬＴ２００が複数のユーザ端末４００のいずれとの通信を要求するのかとの判定（ステップＳ２０５）と、ＵＮＩ１４０−１〜３のいずれがＯＬＴ２００との通信を要求するのかとの判定（ステップＳ２０６）を行う。ＬＳＩ１１０は、いずれか一方または両方からの通信要求があれば、ＯＬＴ２００に通信要求の信号を送信し通常のＰＯＮ動作へ移行させる（ステップＳ２０７）。
【００８６】
ステップＳ２０５およびステップＳ２０５の判定でＯＬＴ２００と複数のユーザ端末４００−１〜３のいずれからも通信要求がなければ、ＯＬＴ２００と低電力状態への移行手続きを行い（ステップＳ２０８）、ＵＮＩ１４０−１〜３および光ＩＦ１２０を省電力状態へ移行させる（ステップＳ２０１）。
【００８７】
この際にＬＳＩ１１０の一部の機能を停止させても良い。
【００８８】
ステップＳ２０４およびステップＳ２０８で用いるＯＬＴ２００とＯＮＵ１００とのシグナリングメッセージにはＩＥＥＥ  Ｐ１９０４.１（Ｓｅｒｖｉｃｅ  Ｉｎｔｅｒｏｐｅｒａｂｉｌｉｔｙ  ｉｎ  Ｅｔｈｅｒｎｅｔ  Ｐａｓｓｉｖｅ  Ｏｐｔｉｃａｌ  Ｎｅｔｗｏｒｋｓ:  ＳＩＥＰＯＮ）  Ｄｒａｆｔ１.０  ｃｌａｕｓｅ１０またはＩＴＵ−Ｔで規定される拡張ＯＡＭメッセージを用いても良い。
【００８９】
以上の動作においてＵＮＩ電源制御部１５０および光ＩＦ電源制御部１６０はＰＯＮ−ＭＡＣ１１２およびＵＮＩ−ＭＡＣ１１３から通信要求の有無と送受信タイミング、低電力状態への移行の許可の情報を得て、この情報に従って同期してＵＮＩ１４０−１〜３および光ＩＦ１２０の電源供給を制御する。
【００９０】
光ＩＦ１２０を低電力状態とする時間Ｔ＿ｓｌｅｅｐは、本発明が用いられるネットワークで定められる固定値でも良いし、ＯＮＵ１００が低電力状態となるたびにＯＬＴ２００との低電力状態への移行手続き（ステップＳ２０８）の中で定められる可変値でも良い。
【００９１】
Ｔ＿ｓｌｅｅｐが固定値である場合は、一般にＣｙｃｌｉｃ−ｓｌｅｅｐモードと呼ばれる。
【００９２】
また、光ＩＦ１２０を低電力状態とする際には光送信器Ｔｘ１２１と光受信器Ｒｘ１２２の両方またはいずれか一方のみを低電力状態としても良い。
【００９３】
本実施形態によれば、第１の実施形態の効果に加えＵＮＩ１４０だけでなく光ＩＦ１２０の省電力化を図ることができ、ＯＮＵ１００の消費電力をさらに低減することができる。また、Ｔ＿ｓｌｅｅｐを固定値とすることによりＩＴＵ−Ｔで議論されているＣｙｃｌｉｃ−ｓｌｅｅｐモードに適応可能である。
【００９４】
ここで、例えば他ユーザからのＩＰ電話の着呼のようにＯＬＴ２００からＯＮＵ１００に通信要求が発生した場合について図９を参照して説明する。
【００９５】
ＯＬＴ２００は、通信要求が発生した直後のＯＮＵ１００との通信での下り信号においてＯＮＵ１００への起動指示を含むＧａｔｅ信号を送信する。
【００９６】
ＬＳＩ１１０は起動指示を含むＧａｔｅ信号を受信すると、光ＩＦ電源制御部１６０およびＵＮＩ電源制御部１５０を介してこの時点以降は低電力状態に移行せず接続を維持する指示を出す。
【００９７】
ＯＮＵ１００は通信機能が起動状態（Ａｃｔｉｖｅ）となり、ユーザ端末４００までの接続が確立したとの通知を含むＲｅｐｏｒｔ信号をＯＬＴ２００に送信する。
【００９８】
ＯＬＴ２００はＯＮＵ１００が起動状態になったことを確認すると、通常のＰＯＮの運用と同様の方法でＯＮＵ１００と通信を開始しＯＮＵ１００の復帰が完了する。
【００９９】
次に、ユーザ端末側からの通信要求が発生した場合について図１０を参照して説明する。
【０１００】
ユーザ端末４００が通信要求を行った場合、ユーザ端末４００はＵＮＩ１４０が起動状態に移行するまで通信要求を含む信号を送り続ける。
【０１０１】
通信要求が発生した直後のＯＬＴ２００からのＧａｔｅ信号の送信タイミングにあわせて光ＩＦ１２０及びＵＮＩ１４０が起動状態に移行すると、ＬＳＩ１１０がユーザ端末４００から通信要求があることを検知する。
【０１０２】
ＬＳＩ１１０は、ＯＬＴ２００との通信要求を含むＲｅｐｏｒｔ信号を送信し、帯域割当を要求すると同時に光ＩＦ電源制御部１６０およびＵＮＩ電源制御部１５０を介してこの時点以降は低電力状態に移行せず接続を維持する指示を出す。
【０１０３】
ＯＬＴ２００は、ＯＮＵ１００からの通信要求に従い帯域を割り当て、ＯＮＵ１００の復帰が完了する。
【０１０４】
以上、本発明の第２の実施形態によれば、第１の実施形態の効果に加え光ＩＦの省電力化が可能になりＯＮＵ全体の消費電力がさらに低減される。
【０１０５】
（第３の実施形態）
第１および第２の実施形態では、ＯＮＵ１００とＯＬＴ２００により定められるタイミングでＵＮＩ１４０−１〜３が低電力状態及び起動状態のいずれかの状態に移行する。
【０１０６】
ＵＮＩ１４０−１〜３の一部または全部が低電力状態である間に低電力状態に移行しているＵＮＩ１４０に接続されるユーザ端末４００宛のデータを含む下り信号がＯＬＴ２００から送信される場合には、ＯＮＵ１００でフレームをバッファリングする必要がある。その場合では、ＵＮＩ１４０−１〜３の起動に時間がかかるとバッファの浪費またはＯＬＴ２００からの下り信号のフレームが破棄されるという問題が発生する。
【０１０７】
そのため、本実施形態ではＵＮＩ１４０−１〜３の動作状態が遷移するタイミングにあわせてＯＮＵ１００とＯＬＴ２００の通信タイミングを設定することを特徴とする。
【０１０８】
（動作）
図１１は、本実施形態によるＯＮＵ１００のＵＮＩ１４０−１〜３および光ＩＦ１２０の電源制御の動作を示す。
【０１０９】
初期状態として、ＯＬＴ２００および複数のユーザ端末４００のいずれからも通信要求がなく複数のＵＮＩ１４０−１〜３の全部または一部は低電力状態となっている（ステップＳ３０１）。
【０１１０】
ＬＳＩ１１０は、予め設定された低電力動作時間Ｔ＿ｓｈｅｄｄｉｎｇが経過する（ステップＳ３０２）と、ＵＮＩ電源制御部１５０を介してＵＮＩ１４０−１〜３を起動状態に移行する指示を出す（ステップＳ３０３）。
【０１１１】
ＯＬＴ２００はＯＮＵ１００へ帯域要求の有無を確認するＧａｔｅ信号を送信し、ＯＮＵ１００がＧａｔｅ信号を受信する（ステップＳ３０４）。
【０１１２】
ＬＳＩ１１０は、ＯＬＴ２００からのＧａｔｅ信号の中にＯＬＴ２００が複数のユーザ端末４００のいずれとの通信を要求するのかとの判定（ステップＳ３０５）と、ＵＮＩ１４０−１〜３のいずれがＯＬＴ２００との通信を要求するのかとの判定（ステップＳ３０６）を行う。ＬＳＩ１１０は、いずれか一方または両方からの通信要求があれば、ＯＬＴ２００に通信要求の信号を送信し通常のＰＯＮ動作へ移行させる（ステップＳ３０７）。
【０１１３】
ステップＳ３０５およびステップＳ３０６の判定でＯＬＴ２００と複数のユーザ端末４００−１〜３のいずれからも通信要求がなければＯＬＴ２００と低電力状態への移行手続きを行い（ステップＳ３０８）、ＵＮＩを省電力状態へ移行させる（ステップＳ３０１）。
【０１１４】
ＯＮＵ１００は、低電力状態への移行手続きの際にＯＮＵ１００と複数のユーザ端末４００の間で設定されるＴ＿ｓｈｅｄｄｉｎｇをＯＬＴ２００に通知する。ＯＬＴ２００は、ＯＮＵ１００のＵＮＩ１４０−１〜３が省電力状態となってから時間Ｔ＿ｓｈｅｄｄｉｎｇが経過した後にＧａｔｅ信号を送信する。
【０１１５】
以上の動作において、図１２に示すようにＯＬＴ２００との低電力状態への移行手続き（ステップＳ４０８）の後、所定の時間Ｔ＿ｓｈｅｄｄｉｎｇが経過する間だけ光ＩＦ１２０を低電力状態にしても良い。
【０１１６】
またその際には、低電力状態への移行手続き（ステップＳ４０８）においてＴ＿ｓｈｅｄｄｉｎｇの値をＴ＿ｓｌｅｅｐとしてＯＬＴ２００に申告しても良い。
【０１１７】
次に、本実施形態のより具体的な例としてＵＮＩ１４０がＩＥＥＥ８０２.３ａｚ−２０１０  Ｅｎｅｒｇｙ  Ｅｆｆｉｃｉｅｎｔ  Ｅｔｈｅｒｎｅｔ（ＥＥＥ）規格のインターフェイスであった場合のＴ＿ｓｈｅｄｄｉｎｇおよびＴ＿ｓｌｅｅｐの決定方法を説明する。
【０１１８】
ＥＥＥでは、Ｅｔｈｅｒｎｅｔポートの省電力化のためＬｏｗ−Ｐｏｗｅｒ  Ｉｄｌｅ（ＬＰＩ）モードが規定されている。
【０１１９】
本実施形態に係るＯＮＵ１００は、第１および第２の実施形態に記載の動作に加え、ＵＮＩ１４０−１〜３がＥＥＥ規格のインターフェイスのように定期的に低電力状態と起動状態を繰り返すインターフェイスであった場合に光ＩＦ１２０が低電力状態となる時間Ｔ＿ｓｌｅｅｐをその周期と一致させることができる。
【０１２０】
一例として、本実施形態によるＴ＿ｓｌｅｅｐの決定方法をＵＮＩがＥＥＥ規格であった場合を例に説明する。
【０１２１】
ＬＰＩモードでは、信号を送信せず低電力状態となるＱｕｉｅｔ動作（Ｔ＿ｑ）と接続を確認するＲｅｆｒｅｓｈ動作（Ｔ＿ｒ）を周期的に行う。それぞれの動作時間はインターフェイスの規格別に図１６に示すように定められている。
【０１２２】
本実施形態によるＯＮＵ１００では、ＥＥＥ標準のＵＮＩ１４０−１〜３と光ＩＦ１２０の起動状態および低電力状態のタイミングを同期させるため図１３に示すように光ＩＦ１２０の低電力時間Ｔ＿ｓｌｅｅｐを、
Ｔ＿ｓｌｅｅｐ＝Ｔ＿ｓｈｅｄｄｉｎｇ＝Ｔ＿ｑ＋（Ｔ＿ｑ＋Ｔ＿ｒ）×Ｎ  （式１）
とすることを特徴とする。
【０１２３】
ただし（式１）中のＮは自然数である。
【０１２４】
本実施形態によれば、例えばＩＥＥＥ８０２.３ａｚ（ＥＥＥ）規格ＵＮＩのような周期的に低電力状態と起動状態を繰り返すＵＮＩを具備するＯＮＵに本発明を適用した場合にもＯＮＵの消費電力が低減する。
【０１２５】
（第４の実施形態）
本実施形態に係る通信システムは、ＬＳＩ１１０がＵＮＩ監視機能を備え、Ｒｅｐｏｒｔ信号にＵＮＩ状態通知を付加してＯＬＴ２００へ送信することを特徴とする。
【０１２６】
ＬＳＩ１１０は、ＵＮＩ１４０に新たなユーザ端末４００が接続されると低電力状態に移行するユーザ端末かどうかを判定しＵＮＩ番号を参照して低電力状態の有無を決定する。
【０１２７】
ＯＮＵ１００がＯＬＴ２００から送信されたＧａｔｅ信号を受信しＯＮＵ１００からＯＬＴ２００へＲｅｐｏｒｔ送信を行う際には、例えば図１７のようにＵＮＩ番号に関連付けたＵＮＩ動作状態情報を付加して送信する。
【０１２８】
ＯＬＴ２００は、ＯＮＵ１００に下り信号を送る際に下り信号が低電力状態のＵＮＩ宛のデータを含めば第１または第２の実施形態に示す手順でＵＮＩ１４０−１〜３および光ＩＦ１２０の復帰手続きを行いＯＬＴ２００からユーザ端末までの通信経路が確保されてからデータを送信する。一方、下り信号が起動状態であるＵＮＩ宛のデータを含めばＵＮＩ１４０−１〜３および光ＩＦ１２０復帰手続きを省いてすぐにデータ送信が開始する。
【０１２９】
以上、本発明の第４の実施形態によればユーザ端末４００の状態に応じて適切な低電力状態への移行指示を行い低電力状態のユーザ端末宛のデータによるＯＮＵ１００とＯＬＴ２００の間の帯域或いはバッファの浪費が低減される。
【０１３０】
（第５の実施形態）
本実施形態に係る通信システムは、図１４に示すように光ＩＦ１２０が波長可変光送信器Ｔｘ１２３と波長可変光受信器Ｒｘ１２４とを含むことを特徴とする。
【０１３１】
この構成により本発明による通信装置を波長分割多重技術に対応させることができる。
【０１３２】
本実施形態は、ネットワークの状況に応じて使用する光信号波長が変化する通信システムに本発明によるＯＮＵを適用した例である。このようなＰＯＮシステムは一般的にＷａｖｅｌｅｎｇｔｈ  Ｄｉｖｉｓｉｏｎ  Ｍｕｌｔｉｐｌｅｘ−ＰＯＮ  （ＷＤＭ−ＰＯＮ）と呼ばれる。
【０１３３】
ＷＤＭ−ＰＯＮでは、ＯＬＴ２００が複数波長の光源と複数波長の光受信器（Ｒｘ）を備える。ＷＤＭ−ＰＯＮは波長分割多重技術を用いて送受信することでＯＮＵあたりの帯域や収容可能ＯＮＵ数を増加させることができる通信システムである。
【０１３４】
また、ＷＤＭ−ＰＯＮには１つの波長を１つのＯＮＵにのみ割り当てる方式と１つの波長をＴＤＭ技術によって複数のＯＮＵに割り当てる方式がある。
【０１３５】
本発明によるＯＮＵが後者の方式のＷＤＭ−ＰＯＮに用いられる場合、第１の実施形態または第２の実施形態で示した動作が適用できる。
【０１３６】
その際に、低電力状態への移行手続き（ステップＳ１０７，ステップＳ２０８）において起動後の波長の設定をＯＮＵ１００とＯＬＴ２００との間で決定しても良い。
【０１３７】
一方、本発明によるＯＮＵが前者の方式のＷＤＭ−ＰＯＮに用いられる場合、１つのＯＬＴに接続される他のＯＮＵとの上り信号が衝突することが無いためＯＮＵ１００は、ＯＬＴ２００からのタイミング制御を受けることなく上り信号を送信することができる。
【０１３８】
その際には、第３の実施形態で示したようにＯＬＴ２００の下り信号送信タイミングをＳｈｅｄｄｉｎｇ動作に合わせて設定することができる。
【０１３９】
以上の実施形態に加えて、光ＩＦの送受信方式の変更によりさまざまな種類の次世代光アクセス技術においてＵＮＩおよび光ＩＦの省電力化を図ることができる。
【０１４０】
以上、５つの実施形態を参照して本発明を説明したが、本発明は上記各実施形態に限定されない。本発明の構成や詳細については当業者が理解し得るさまざまな変更を加えることができる。また、本発明には上記各実施形態の構成の一部又は全部を相互に適宜組み合わせたものも含まれる。またＯＮＵ１００に接続されるユーザ端末およびＵＮＩの数を便宜上３として説明したが、本発明の範囲はこれに限定されない。
【０１４１】
ここで上記の実施形態の一部又は全部は以下の付記のようにも記載されうるが、以下には限られない。
【０１４２】
（付記１）ネットワーク装置と端末装置との間に設置される通信装置であって、前記端末装置との通信を行う端末接続手段と、前記ネットワーク装置との通信を行う通信インターフェイス手段と、前記通信インターフェイス手段と前記端末接続手段との間でのデータの中継と前記ネットワーク装置および前記端末装置との通信の制御を行うアクセス制御手段と、前記アクセス制御手段に接続され前記端末接続手段に対する電源供給を制御する第一の電源制御手段とを備え、前記第一の電源制御手段は前記端末装置と通信を行うことが可能な起動状態と前記端末装置と通信を行なわない低電力駆動状態とを含む複数の動作状態のうちの一つの動作状態に前記端末接続手段を設定し、前記第一の電源制御手段は低電力駆動状態にある前記端末接続手段を前記通信インターフェイス手段と前記ネットワーク装置との通信が行われるタイミングに基づいて起動状態に移行するよう電源制御を行うことを特徴とする通信装置。
【０１４３】
（付記２）前記アクセス制御手段は、前記端末接続手段が起動状態である間に前記ネットワーク装置と前記端末装置の少なくとも一つからの通信要求の有無を判定し、前記第一の電源制御手段は前記ネットワーク装置と前記端末装置の少なくとも一つからの通信要求がある場合は前記端末接続手段の起動状態を維持するよう電源制御を行い、前記通信要求がない場合は前記端末接続手段を低電力駆動状態に移行するよう電源制御を行うことを特徴とする付記１に記載の通信装置。
【０１４４】
（付記３）前記アクセス制御手段に接続され前記通信インターフェイス手段に対する電源供給を制御する第二の電源制御手段をさらに備え、前記第二の電源制御手段は前記ネットワーク装置と通信を行うことが可能な起動状態と前記ネットワーク装置と通信を行わない低電力駆動状態とを含む複数の動作状態のうちの一つの動作状態に前記通信インターフェイス手段を設定し、前記第二の電源制御手段は前記第一の電源制御手段の動作と同期して低電力駆動状態にある前記通信インターフェイス手段を前記通信インターフェイス手段と前記ネットワーク装置との通信が行われるタイミングに基づいて起動状態に移行するよう電源制御を行うことを特徴とする付記１または２に記載の通信装置。
【０１４５】
（付記４）前記第一の電源制御手段が前記端末接続手段の電源制御を行うタイミングと前記第二の電源制御手段が前記通信インターフェイス手段の電源制御を行うタイミングがそれぞれ前記ネットワーク装置から指定されるスケジューリング情報を基にして定められることを特徴とする付記１乃至３に記載の通信装置。
【０１４６】
（付記５）前記通信装置と前記ネットワーク装置との通信タイミングおよび前記通信インターフェイス手段を起動状態または低電力駆動状態とするタイミングが前記端末接続手段と前記端末装置との間の通信タイミングに基づいて定められることを特徴とする付記１乃至４に記載の通信装置。
【０１４７】
（付記６）前記端末接続手段及び前記通信インターフェイス手段の少なくとも一つにおいて起動状態と低電力駆動状態とは所定の周期で反復することを特徴とする付記１乃至５に記載の通信装置。
【０１４８】
（付記７）前記端末接続手段が低電力駆動状態になっている間前記端末接続手段が前記端末装置に信号を送信しない第一の時間Ｔ１と接続確認の信号を送信する第二の時間Ｔ２とが周期的に繰り返されることを特徴とする付記１乃至６に記載の通信装置。
【０１４９】
（付記８）前記通信インターフェイス手段が低電力駆動状態となる時間Ｔ３が前記第一の時間Ｔ１と前記第二の時間Ｔ２と任意の自然数Ｎから求められ、
Ｔ３＝Ｔ１＋（Ｔ１＋Ｔ２）×Ｎ
となることを特徴とする付記７に記載の通信装置。
【０１５０】
（付記９）前記通信インターフェイス手段が送信および受信に用いる光信号の波長を変更することのできる波長可変送受信機であることを特徴とする付記１乃至８に記載の通信装置。
【０１５１】
（付記１０）付記１乃至９に記載の通信装置を含む通信システムであって、前記アクセス制御手段は前記端末接続手段が起動状態および低電力駆動状態のいずれの動作状態にあるかを前記ネットワーク装置に通知する通知手段を備え、前記ネットワーク装置が前記端末接続手段のうち低電力駆動状態にある端末接続手段に宛てた情報を送信する場合には該端末接続手段を起動状態へ移行するよう電源制御が行われ、前記ネットワーク装置と該端末接続手段に接続される端末装置との情報の送受信が可能になるまで前記情報の送信が見送られることを特徴とする通信システム。
【０１５２】
（付記１１）前記ネットワーク装置が局舎装置であり、前記ネットワーク装置と前記通信装置の間が光伝送路で接続され、前記通信インターフェイス手段が光送受信機であることを特徴とする付記１０に記載の通信システム。
【０１５３】
（付記１２）ネットワーク装置と端末装置との間に設置されデータを中継して通信の制御を行い前記端末装置との通信を行う端末接続手段と前記ネットワーク装置との通信を行う通信インターフェイス手段とを含む通信装置の消費電力の制御方法であって、前記端末装置と通信を行うことが可能な起動状態と前記端末装置と通信を行わない低電力駆動状態とを含む複数の動作状態のうちの一つの動作状態に前記端末接続手段を設定するステップと、低電力駆動状態にある前記端末接続手段を前記通信インターフェイス手段と前記ネットワーク装置との通信が行われるタイミングに基づいて起動状態に移行するよう電源制御を行うステップとを含むことを特徴とする電力制御方法。
【０１５４】
（付記１３）前記端末接続手段が起動状態である間に前記ネットワーク装置と前記端末装置の少なくとも一つからの通信要求の有無を判定するステップと、前記ネットワーク装置と前記端末装置の少なくとも一つからの通信要求がある場合は前記端末接続手段の起動状態を維持するよう電源制御を行い、前記通信要求がない場合は前記端末接続手段を低電力駆動状態に移行するよう電源制御を行うステップとをさらに含むことを特徴とする付記１２に記載の電力制御方法。
【０１５５】
（付記１４）前記ネットワーク装置と通信を行うことが可能な起動状態と前記ネットワーク装置と通信を行わない低電力駆動状態とを含む複数の動作状態のうちの一つの動作状態に前記通信インターフェイス手段を設定するステップと、前記端末接続手段の電源制御と同期して低電力駆動状態にある前記通信インターフェイス手段を前記通信インターフェイス手段と前記ネットワーク装置との通信が行われるタイミングに基づいて起動状態に移行するよう電源制御を行うステップとをさらに含むことを特徴とする付記１２または１３に記載の電力制御方法。
【０１５６】
（付記１５）前記端末接続手段の電源制御を行うタイミングと前記通信インターフェイス手段の電源制御を行うタイミングをそれぞれ前記ネットワーク装置から指定されるスケジューリング情報を基にして定めるステップをさらに含むことを特徴とする付記１２乃至１４に記載の電力制御方法。
【０１５７】
（付記１６）前記端末接続手段及び前記通信インターフェイス手段の少なくとも一つにおいて起動状態と低電力駆動状態とは所定の周期で反復することを特徴とする付記１２乃至１５に記載の電力制御方法。
【０１５８】
（付記１７）前記端末接続手段が低電力駆動状態になっている間前記端末接続手段が前記端末装置に信号を送信しない第一の時間Ｔ１と接続確認の信号を送信する第二の時間Ｔ２とを周期的に繰り返すステップをさらに含むことを特徴とする付記１２乃至１６に記載の電力制御方法。
【０１５９】
（付記１８）前記通信インターフェイス手段が低電力駆動状態となる時間Ｔ３を前記第一の時間Ｔ１と前記第二の時間Ｔ２と任意の自然数Ｎから求め、
Ｔ３＝Ｔ１＋（Ｔ１＋Ｔ２）×Ｎ
とすることを特徴とする付記１７に記載の電力制御方法。
【０１６０】
（付記１９）前記通信インターフェイス手段において送信および受信に用いる光信号の波長を変更するステップをさらに含むことを特徴とする付記１２乃至１８に記載の電力制御方法。
【０１６１】
（付記２０）前記端末接続手段が起動状態および低電力駆動状態のいずれの動作状態にあるかを前記ネットワーク装置に通知するステップと、前記ネットワーク装置が前記端末接続手段のうち低電力駆動状態にある端末接続手段に宛てた情報を送信する場合には該端末接続手段を起動状態へ移行するよう電源制御を行い、前記ネットワーク装置と該端末接続手段に接続される端末装置との情報の送受信が可能になるまで前記情報の送信を見送るステップとをさらに含むことを特徴とする付記１２乃至１９に記載の電力制御方法。
【０１６２】
（付記２１）前記ネットワーク装置が局舎装置であり前記ネットワーク装置と前記通信装置の間が光伝送路で接続され前記通信インターフェイス手段が光送受信機であることを特徴とする付記１２乃至２０に記載の電力制御方法。
【産業上の利用可能性】
【０１６３】
本発明は上記の実施形態に限定されるものではなく省電力対応ＯＮＵによるアクセスネットワークの省電力化などに好適に適用可能である。
【符号の説明】
【０１６４】
１００    ＯＮＵ
１１０    ＬＳＩ
１１１    ＰＯＮ−ＰＨＹ
１１２    ＰＯＮ−ＭＡＣ
１１３    ＵＮＩ−ＭＡＣ
１１４    ＵＮＩ−ＰＨＹ
１１５    スケジューリング部
１２０    光ＩＦ
１２１    光送信器Ｔｘ
１２２    光受信器Ｒｘ
１２３    波長可変光送信器Ｔｘ
１２４    波長可変光受信器Ｒｘ
１３０    カプラ
１４０−１    ＵＮＩ−１
１４０−２    ＵＮＩ−２
１４０−３    ＵＮＩ−３
１５０    ＵＮＩ電源制御部
１６０    光ＩＦ電源制御部
２００    ＯＬＴ
３００    光ファイバ
４００    ユーザ端末
５００    光スプリッタ
【図１】
0005811673.tif 000002
【図２】
0005811673.tif 000003
【図３】
0005811673.tif 000004
【図４】
0005811673.tif 000005
【図５】
0005811673.tif 000006
【図６】
0005811673.tif 000007
【図７】
0005811673.tif 000008
【図８】
0005811673.tif 000009
【図９】
0005811673.tif 000010
【図１０】
0005811673.tif 000011
【図１１】
0005811673.tif 000012
【図１２】
0005811673.tif 000013
【図１３】
0005811673.tif 000014
【図１４】
0005811673.tif 000015
【図１５】
0005811673.tif 000016
【図１６】
0005811673.tif 000017
【図１７】
0005811673.tif 000018